(57)【特許請求の範囲】
【請求項１】
底部枠体と、前記底部枠体の前方より底部枠体に対して後部上方に傾斜して底部枠体に連結された背部枠体と、前記背部枠体より前方に延設するように連結された足部枠体とから構成され、
前記底部枠体の上方よりの投影した場合の前後方向の長さａと、前記背部枠体の上方よりの投影した場合の前後方向の長さｂとが、
ａ／ｂ＝１．０〜１．３の範囲にあり、
前記底部枠体が、左右一対の左枠体部材と右枠体部材の底部部分と、前記左右の枠体部材を連結する連結枠体部材とから構成されていることを特徴とする乳幼児用シート。
【請求項２】
前記底部枠体が、前方端の幅よりも後方端の幅が狭く構成されていることを特徴とする請求項１に記載の乳幼児用シート。
【請求項３】
前記底部枠体の前方端の幅ｃと、後方端の幅ｄとが、
ｃ／ｄ＝１．０１〜２．７５
の範囲にあることを特徴とする請求項２に記載の乳幼児用シート。
【請求項４】
前記左右の枠体部材が、中実部材から構成されるとともに、後方で連結する連結枠体部材が前記左右の枠体部材の少なくとも一方に着脱可能に構成され、
前記左右の枠体部材の前方側の底部部分を後部上方に傾斜するように湾曲させて延設した湾曲部をそれぞれ、前記背部枠体における背もたれ部材の前端部に弾性的に連結するように構成されていることを特徴とする請求項１から３のいずれかに記載の乳幼児用シート。
【請求項５】
前記底部枠体と背部枠体との間に、バネ部材として、液圧または空気圧シリンダーが介装されていることを特徴とする請求項１から４のいずれかに記載の乳幼児用シート。
【請求項６】
前記底部枠体と背部枠体との間の傾斜角度が、１０°〜６５°であることを特徴とする請求項１から５のいずれかに記載の乳幼児用シート。
【発明の詳細な説明】
【０００１】
【発明の属する技術分野】
本発明は、乳幼児を座らせて、乳幼児自体の動きに合わせて、上下前後に揺動することによって、乳幼児をあやすことができ、乳幼児が退屈せずに、また、眠りにつくことが可能で、乳幼児を座らせたまま、容易に動かすことができる乳幼児用シートに関する。
【０００２】
【従来の技術】
従来より、このような乳幼児シートとして、様々な構造の乳幼児シートが提案されているが、例えば、図１１に示したような構造の乳幼児シートが知られている。
この乳幼児シート１００は、略コ字形状の底部枠体１０２の前端部１０４を、固定部材１０６に回動自在に軸支するとともに、足部枠体１０８をこの固定部材１０６に回動自在に軸支している。そして、この固定部材１０６の上部に、背部枠体１１０を固定するとともに、固定部材１０６の下方に前方枠体１１２を固定した構造である。このように構成することによって、乳幼児シート１００は、底部枠体１０２と、足部枠体１０８を、固定部材１０６に対して回動することによって、折り畳みが可能なように構成されている。
【０００３】
また、図示しないが、固定部材１０６の内部には、固定部材１０６と底部枠体１０２との間にバネ部材が介装されており、これにより、組み立てて、図１０に示したように、これらの枠体にシートカバー１１４を装着して、乳幼児が座った際に、乳幼児自体の動きに合わせて、矢印で示したように上下に揺れ動くことができるように構成されている。
【０００４】
【発明が解決しようとする課題】
しかしながら、このような乳幼児シート１００では、使用対象月齢である新生児期は動きが少ないため問題はないものの、後期となる６ヶ月〜９ヶ月では、乳幼児が活発に動くようになり、また、体重も最大で、１０ｋｇ程度と重くなることに伴って、揺れが大きくなる。このため、その勢いで、後方や前方に乳幼児シートが倒れ、乳幼児が受け身をとることもできずに、投げ出されてしまい好ましくなかった。
【０００５】
さらに、乳幼児に兄弟などの幼児がいた場合、いたずらによって、同様のことが発生するおそれもあった。
また、複雑な構成の固定部材１０６が必要であるとともに、底部枠体１０２と足部枠体１０８を、固定部材１０６に対して回動して組み立てた際にストッパとなるストッパを設ける必要があり、バネ部材も必要である。
【０００６】
従って、転倒のおそれがあり、複雑な構成で、部品点数も多くなり、コストが高くなるとともに、重量も重くなり、介助者である母親などにとって、乳幼児を座らせた状態で持ち上げることが難しい。しかも、組み立て操作も煩雑となり、さらに、ばねを使用し、軸で回動するために、滑らかな揺れにならずに、へたってしまうことになる。
【０００７】
本発明は、このような現状に鑑み、安全で、簡単な構造で、組み立て操作が簡単であり、軽量であり、長期間使用しても問題がなく、しかも安定した揺動を実現できる乳幼児シートを提供することを目的とする。
【０００８】
【課題を解決するための手段】
本発明は、前述したような従来技術における課題及び目的を達成するために発明なされたものであって、本発明の乳幼児用シートは、
底部枠体と、前記底部枠体の前方より底部枠体に対して後部上方に傾斜して底部枠体に連結された背部枠体と、前記背部枠体より前方に延設するように連結された足部枠体とから構成され、
前記底部枠体の上方よりの投影した場合の前後方向の長さａと、前記背部枠体の上方よりの投影した場合の前後方向の長さｂとが、
ａ／ｂ＝１．０〜１．３の範囲にあり、
前記底部枠体が、左右一対の左枠体部材と右枠体部材の底部部分と、前記左右の枠体部材を連結する連結枠体部材とから構成されていることを特徴とする。
【０００９】
このように、底部枠体の上方よりの投影した場合の前後方向の長さａと、背部枠体の上方よりの投影した場合の前後方向の長さｂ、すなわち、背部枠体の後方の頂点より垂線をとり、そこから背部枠体の前方の先端部の連結部となる湾曲部までの長さｂとの割合ａ／ｂを、１．０〜１．３の範囲に設定することによって、例えば、生後9ヶ月目の１０ｋｇの体重の乳幼児が座って大きく動いた場合でも、底部枠体の後端が、傾斜した背部枠体の頂部となる端部よりも内側にくることがない。
また、このように構成することによって、簡単な構造であり、しかも組み立ておよび分解操作が簡単に行うことができる。
【００１０】
従って、乳幼児が後方に重心をかけるように動いた場合でも、シートのバランスが崩れず、後方への転倒を防ぐことができる。また、割合ａ／ｂを１．３以下とすることで、比較的コンパクトとすることができ、取り扱いやすく、しかも、足でけってしまったとしても、バランスを崩すのを防止できる。
これにより、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐える乳幼児用シートを提供できる。
【００１１】
また、本発明の乳幼児用シートでは、前記底部枠体が、前方端の幅よりも後方端の幅が狭く構成されていることを特徴とする。
このように底部枠体が、前方端の幅よりも後方端の幅が狭く構成することによって、前方端が広くなっているので、前方に揺動した際にも、底部枠体の前方端がストッパの役目をして、乳幼児用シートが前方に転倒することがない。さらに、実質的に前方端が側方へ張り出していることになるため、乳幼児が身体をねじった際などに、側方へ転倒することも防ぎ、後方へも適度な揺動が確保される。
【００１２】
しかも、例えば、生後9ヶ月目の１０ｋｇの体重の乳幼児が座った際にも、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００１３】
また、本発明の乳幼児用シートは、前記底部枠体の前方端の幅ｃと、後方端の幅ｄとが、
ｃ／ｄ＝１．０１〜２．７５
の範囲にあることを特徴とする。
これによって、前方に揺動した際にも、底部枠体の前方端がストッパの役目をして、乳幼児用シートが前方や側方に転倒することがなく、後方へも適度な揺動が確保される。
【００１４】
しかも、例えば、生後9ヶ月目の１０ｋｇの体重の乳幼児が座った際にも、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００１５】
また、本発明の乳幼児用シートは、前記左右の枠体部材が、中実部材から構成されるとともに、後方で連結する連結枠体部材が前記左右の枠体部材の少なくとも一方に着脱可能に構成され、
前記左右の枠体部材の前方側の底部部分を後部上方に傾斜するように湾曲させて延設した湾曲部をそれぞれ、前記背部枠体における背もたれ部材の前端部に弾性的に連結するように構成されていることを特徴とする。
【００１６】
このように中実部材で形成された左右の枠体部材の後端部を、中空の後方枠体部材の少なくとも一方に着脱可能とされ、左右の枠体部材の前方側の底部部分を後部上方に傾斜するように湾曲させて延設した湾曲部によって、特定部位に応力が集中することなく、揺動を確実に行える。
従って、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００１７】
また、各部材が容易に分解可能であるため、収納時のスペースをとらず、しかも、単純な構成であり、比較的軽量とすることができる。
また、本発明の乳幼児用シートは、前記底部枠体と背部枠体との間に、バネ部材として、液圧または空気圧シリンダーが介装されていることを特徴とする。
このように底部枠体と背部枠体との間に、液圧または空気圧シリンダーを介装することによって、安定した弾性をもたせられるので、乳幼児をあやし、眠りを誘引するのに、丁度良い揺れ速さ、揺れの大きさの安定した前後上下方向の揺動を実現できるとともに、液圧または空気圧シリンダーにより、構造強度的にも繰り返しの揺動に耐え得る乳幼児用シートを提供できる。
【００１８】
また、本発明の乳幼児用シートは、前記底部枠体と背部枠体との間の傾斜角度が、１０°〜６５°であることを特徴とする。
このように、底部枠体と背部枠体との間の傾斜角度が、１０°〜６５°の範囲にあるように設定することによって、乳幼児が座った際には、丁度良い姿勢で、例えば、腰、首などの体の各部に負担がかかることなく座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００１９】
【発明の実施の形態】
以下、本発明の実施の形態（実施例）を図面に基づいてより詳細に説明する。
図１は、本発明の乳幼児用シートの実施例の斜視図、図２は、図１の乳幼児用シートのシートカバー部材と玩具部材を取り外した状態の斜視図、図３は、図２の乳幼児用シートの分解斜視図、図４〜図９は、図１の乳幼児用シートの使用状態を説明する斜視図である。
【００２０】
図１において、１０は、全体で、本発明の乳幼児用シートを示している。乳幼児用シート１０は、略袋形状であって、着脱自在なシートカバー部材２０、適宜必要に応じて使用するクッション部材２２とを備えている。
そして、乳幼児用シート１０は、これらのシートカバー部材２０、クッション部材２２を取り外すと、図２に示したように、フレーム枠体１２から構成されている。
【００２１】
フレーム枠体１２は、図２に示したように、底部枠体３０と、この底部枠体３０の前方より底部枠体３０に対して後部上方に傾斜して底部枠体３０に連結された背部枠体４０と、背部枠体４０より前部下方に延設するように連結された足部枠体５０と、これらの枠体を相互に連結する連結部材６０と、連結部材６０から前方に連結された玩具枠体７０とを備えている。
【００２２】
底部枠体３０は、左右一対の左枠体部材３２と右枠体部材３４と、左右の枠体部材３２、３４を後方で連結する後方枠体部材３６とから構成されている。なお、図中、３８は、これらの枠体部材に装着された滑り止め部材であり、左右の枠体部材３２、３４の中間領域をわずかに床面から浮かせるために、スペーサー部材としても機能するように、底部枠体３０の四つの隅角部近傍に配置されている。
【００２３】
左枠体部材３２は、中実の棒部材から構成されており、床面などに接地する水平部分３２ａと、この水平な部分３２ａの前方端から上方後方に湾曲する湾曲部３２ｂから構成されている。同様に、右枠体部材３４は、中実の棒部材から構成されており、床面などに接地する水平部分３４ａと、この水平な部分３４ａの前方端から上方後方に湾曲する湾曲部３４ｂから構成されている。
【００２４】
一方、背部枠体４０は、左右の枠体部材４２、４４と、後方の後方湾曲部４６とから構成される略アーチ形状の背もたれ部材と、底部枠体３０の左右の枠体部材３２、３４の前方側の底部部分を後部上方に傾斜するように湾曲させて延設した湾曲部３２ｂ、３４ｂとから構成されている。
これらの左右枠体部４２、４４の前端部４２ａ、４４ａには、連結部材６０が固着されている。なお、背部枠体４０は、軽量な中空部材から構成されている。
【００２５】
また、足部枠体５０は、略コ字形状であり、左右の枠体部材５２、５４と、前方の水平部５６とから構成されている。
そして、底部枠体３０の左右の枠体部材３２、３４の後端部３２ｃ、３４ｃは、図３に示したように、円管状の中空部材から構成された後方枠体部材３６の両端開孔部３６ａ、３６ｂに挿着するようになっている。
【００２６】
この状態では、図３に示したように、左右の枠体部材３２、３４の先端部３２ｄ、３４ｄの幅W１が、背部枠体４０の左右枠体部４２、４４の前端部４２ａ、４４ａの間の距離W2よりもわずかに広くなっている。
従って、左右の枠体部材３２、３４を後方枠体部材３６に挿着した後、左右の枠体部材３２、３４の先端部３２ｄ、３４ｄをそれぞれ、背部枠体４０の左右枠体部４２、４４の前端部４２ａ、４４ａに、連結部材６０を介して弾性的に連結することができるようになっている。
【００２７】
すなわち、左右の枠体部材３２、３４の先端部３２ｄ、３４ｄの幅W1を、無理やり縮めることにより、左右の枠体部材３２、３４が弾性力により広がろうとするが、この状態で、背部枠体４０の左右枠体部４２、４４の前端部４２ａ、４４ａの連結部材６０に形成された底部枠体挿着用開口部６２内に、弾性的に連結することによって、使用時に左右の枠体部材３２、３４が抜け落ちることがないようになっている。
【００２８】
同様に、図３に示したように、足部枠体５０の左右の枠体部材５２、５４の後端部５２ａ、５４ａの幅W３が、背部枠体４０の左右枠体部４２、４４の前端部４２ａ、４４ａの間の距離W2よりもわずかに広くなっている。
従って、左右の枠体部材５２、５４の後端部５２ａ、５４ａの幅W３を、無理やり縮めることにより、左右の枠体部材５２、５４が弾性力により広がろうとするが、この状態で、背部枠体４０の左右枠体部４２、４４の前端部４２ａ、４４ａの連結部材６０に形成された足部枠体挿着用開口部６４内に、弾性的に連結することによって、使用時に左右の枠体部材５２、５４が抜け落ちることがないようになっている。
【００２９】
また、玩具枠体７０は、鏡、回転おもちゃなどの様々な玩具７２と、これらの玩具７２が回転可能に装着された水平フレーム部７４と、水平フレーム部７４の左右の一対の左右の枠体部材７６、７８と、これらの左右の枠体部材７６、７８に固定された連結部材８０とから構成されている。
そして、図３に示したように、連結部材８０は、連結部材６０の外部側部に形成された矩形状に嵌合用凹部６６に嵌着する矩形状の嵌合用突設部８２と、連結部材６０の外周縁部６８に嵌合する内周縁部８４とから構成されている。
【００３０】
従って、玩具枠体７０の左右の枠体部材７６、７８に固定された連結部材８０を、連結部材６０に着脱自在に固定できるようになっている。なお、玩具枠体７０を連結部材６０に固定する際に、左右を逆につけることによって、乳幼児との間の距離を変更できるように、左右の枠体部材７６、７８が、連結部材８０の中心とは偏位して連結されている。
【００３１】
ところで、乳幼児用シート１０としては、乳幼児が安定して座ることができるとともに、乳幼児をあやし、眠りを誘引するのに、丁度良い揺れ速さ、揺れの大きさの安定した前後上下方向の揺動を実現できる必要がある。
このような揺動を実現するためには、湾曲部３２ｂ、３４ｂにおける撓みを適切な範囲に保持する必要があり、湾曲部３２ｂ、３４ｂを形成する中実な左右枠体部材３２、３４を以下のような範囲に含まれるよう構成することが望ましい。
【００３２】
縦弾性係数（Ｅ）１７５×１０3Ｎ／ｍｍ2〜２２５×１０3Ｎ／ｍｍ2であり、断面の直径が６ｍｍ〜１０．５ｍｍの円柱状であり、対応する断面二次モーメント（Ｉ）が６３〜５９７と
された部材として、
縦弾性係数（Ｅ）×断面二次モーメント（Ｉ）で導かれる、曲げ剛性（ＥＩ）を１１０２５×１０3Ｎ〜１３４３２５×１０3Ｎとなるよう構成している。
更に、使用する９ヶ月児の乳幼児の最大体重として１０ｋｇの重さ（ｗ）を考慮し、
また、９ヶ月児の乳幼児の平均身長が７１ｃｍである事を考慮し、湾曲部３２ｂ、３４ｂから、３００ｍｍの重心となる位置（ｌ）に１０ｋｇの荷重がかかると想定した場合の、乳幼児用シートにおける撓み量（ｙ）は、３.３ｍｍ〜４０ｍｍの範囲にあり、ｙ＝ｗｌ3／３ＥＩによって導かれる。
【００３３】
このような範囲に設定することによって、乳幼児シートに座る乳幼児は、例えば、生後9ヶ月目の乳幼児の体重は、重くとも約１０ｋｇであり、このような乳幼児が座った際にも、このような弾性率を有していれば、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００３４】
また、図２に示したように、底部枠体３０の上方よりの投影した場合の前後方向の長さａと、背部枠体４０の上方よりの投影した場合の前後方向の長さｂ、すなわち、背部枠体４０の後方の頂点４８より垂線をとり、そこから背部枠体４０の前方の先端部の連結部となる湾曲部３２ｂ、３４ｂまでの長さｂとが、
ａ／ｂ＝１．０〜１．３、好ましくは、１．０１〜１．２０の範囲にあるのが望ましい。
【００３５】
このように、底部枠体３０の上方よりの投影した場合の前後方向の長さａと、背部枠体４０の上方よりの投影した場合の前後方向の長さｂとの割合ａ／ｂを、このような範囲に設定することによって、例えば、生後9ヶ月目の１０ｋｇの体重の乳幼児が座った際にも、乳幼児が安定して座って大きく動いた場合でも、底部枠体３０の後端が、傾斜した背部枠体４０の頂部４８となる端部よりも内側にくることがない。
【００３６】
従って、乳幼児が後方に重心をかけるように動いた場合でも、シートのバランスが崩れず、転倒を防ぐことができる。また、割合ａ／ｂを１．３以下とすることで、比較的コンパクトとすることができ、取り扱いやすく、しかも、足でけってしまったとしても、バランスを崩すのを防止できる。
これにより、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００３７】
さらに、図２に示したように、本発明の乳幼児用シート１０は、底部枠体３０が、前方端の幅ｃよりも後方端の幅ｄが狭く構成されているのが望ましく、底部枠体の前方端の幅ｃと、後方端の幅ｄとが、
ｃ／ｄ＝１．０１〜２．７５、好ましくは、１．０１〜１．７５の範囲にあるのが望ましい。
【００３８】
このように底部枠体３０が、前方端の幅ｃよりも後方端の幅ｄが狭く構成することによって、前方端が広くなっているので、前方に揺動した際にも、底部枠体３０の前方端がストッパの役目をして、乳幼児用シートが前方に転倒することがない。さらに、実質的に前方端が側方へ張り出していることになるため、乳幼児が身体をねじった際などに、側方へ転倒することも防ぎ、後方へも適度な揺動が確保される。
【００３９】
また、本発明の乳幼児用シート１０は、底部枠体３０と背部枠体４０との間の傾斜角度αが、１０°〜６５°、好ましくは、３５°〜４５°であるのが望ましい。
このように、底部枠体と背部枠体との間の傾斜角度を、このような範囲に設定することによって、傾斜角度αが１０°近傍に傾きが傾けられた状態では、特に眠った際に乳幼児への負担が小さく、傾斜角度αが６５°近傍の立った状態では、食事などの座った状態に適した行為が行いやすい。特に、傾斜角度αが３５°〜４５°近傍の角度では、リラックスした状態となるだけでなく、授乳後のいわゆる「ゲップ」を行いやすいという効果がある。
【００４０】
このように、乳幼児が座った際には、丁度良い姿勢で、例えば、腰、首などの体の各部に負担がかかることなく座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００４１】
なお、この角度の範囲内において傾斜を変えられるように、図示しないが、リクライニング機構を設けてもよい。
さらに、図示しないが、本発明の乳幼児用シート１０では、底部枠体３０の左右の枠体３２、３４と背部枠体４０の左右の枠体４２、４４との間に、バネ部材が介装されていてもよい。
【００４２】
このように底部枠体３０と背部枠体４０との間に、バネ部材を介装することによって、安定した弾性をもたせられるので、乳幼児をあやし、眠りを誘引するのに、丁度良い揺れ速さ、揺れの大きさの安定した前後上下方向の揺動を実現できるとともに、構造強度的にも繰り返しの揺動に耐え得る乳幼児用シートを提供できる。
【００４３】
この場合、バネ部材としては、液圧または空気圧シリンダーであるのが、繰り返し使用しても影響が少なく、安定した揺動のためには好ましい。
なお、上記の枠体３０、４０，５０、７０の材質としては、金属製であっても、合成樹脂製であっても良く、特に限定されるものではないが、強度的には。例えば、鋼材、アルミ、ステンレスなどの金属製とするのが望ましい。また、これらの枠体３０、４０，５０、７０の直径としては、材料によって適宜変更して、上記したような安定した揺動が実現できるように設定すればよい。
【００４４】
このように構成される本発明の本発明の乳幼児用シート１０は、図４〜図９に示したように、以下のように組み立てて使用すればよい。
先ず、図４に示したように、底部枠体３０の左右の枠体部材３２、３４の後端部３２ｃ、３４ｃを後方枠体部材３６の両端開孔部３６ａ、３６ｂに挿着する。この状態で、図５に示したように、左右の枠体部材３２、３４の先端部３２ｄ、３４ｄの幅W1を、無理やり縮めることにより、左右の枠体部材３２、３４が弾性力により広がろうとするが、この状態で、背部枠体４０の左右枠体部４２、４４の前端部４２ａ、４４ａの連結部材６０に形成された底部枠体挿着用開口部６２内に、弾性的に連結する。
【００４５】
次に、図６に示したように、足部枠体５０の左右の枠体部材５２、５４の後端部５２ａ、５４ａの幅W３を、縮めることにより、左右の枠体部材５２、５４が弾性力により広がろうとするが、この状態で、背部枠体４０の左右枠体部４２、４４の前端部４２ａ、４４ａの連結部材６０に形成された足部枠体挿着用開口部６４内に、弾性的に連結する。
【００４６】
そして、図７に示したように、シートカバー部材２０をこれらの枠体に上下より被せるように装着して、シートカバー部材２０の裏面の図示しないホックなどで固定する。
さらに、図８に示したように、適宜必要に応じてクッション部材２２をシートカバー部材２０の上に置く。この時、幼児の体型に合わせて、シートベルト９０の開閉部材９１でベルトの長さを調整する。
【００４７】
その後、図９に示したように、玩具枠体７０の左右の枠体部材７６、７８に固定された連結部材８０を、連結部材６０に固定すれば、組み立てが完成する。
そして、使用後に、収納する場合には、上記の逆に分解すればよい。
以上、本発明の好ましい実施例を説明したが、本発明はこれに限定されることはなく、本発明の目的を逸脱しない範囲で種々の変更が可能である。
【００４８】
【発明の効果】
本発明の乳幼児用シートによれば、底部枠体の上方よりの投影した場合の前後方向の長さａと、背部枠体の上方よりの投影した場合の前後方向の長さｂ、すなわち、背部枠体の後方の頂点より垂線をとり、そこから背部枠体の前方の先端部の連結部となる湾曲部までの長さｂとの割合ａ／ｂを、１．０〜１．３の範囲に設定することによって、例えば、生後9ヶ月目の１０ｋｇの体重の乳幼児が座って大きく動いた場合でも、底部枠体の後端が、傾斜した背部枠体の頂部となる端部よりも内側にくることがない。
【００４９】
従って、乳幼児が後方に重心をかけるように動いた場合でも、シートのバランスが崩れず、後方への転倒を防ぐことができる。また、割合ａ／ｂを１．３以下とすることで、比較的コンパクトとすることができ、取り扱いやすく、しかも、足でけってしまったとしても、バランスを崩すのを防止できる。
これにより、乳幼児が安定して座ることができるとともに、乳幼児をあやし、眠りを誘引するのに、丁度良い揺れ速さ、揺れの大きさの安定した前後上下方向の揺動を実現できるとともに、構造強度的にも繰り返しの揺動に耐える乳幼児用シートを提供できる。
【００５０】
また、本発明の乳幼児用シートによれば、底部枠体が、前方端の幅よりも後方端の幅が狭く、底部枠体の前方端の幅ｃと、後方端の幅ｄとが、
ｃ／ｄ＝１．０１〜２．７５
の範囲にあるように構成することによって、前方端が広くなっているので、前方に揺動した際などにも、底部枠体の前方端がストッパの役目をして、乳幼児用シートが前方や側方に転倒することがなく、後方へも適度な揺動が確保される。
【００５１】
また、本発明の乳幼児用シートによれば、中実な左右の枠体部材を湾曲させて、背部枠体と連結することで揺動するように構成されており、確実に揺らすことができ、軽量で取り扱いやすい。
また、本発明の乳幼児用シートによれば、底部枠体と背部枠体との間の傾斜角度が、１０°〜６５°の範囲にあるように設定することによって、乳幼児が座った際には、丁度良い姿勢で、例えば、腰、首などの体の各部に負担がかかることなく座ることができるなどの幾多の作用効果を奏する極めて優れた発明である。
【００５２】
【実施例】
【００５３】
【実施例１】
以上のような、構成を有する乳幼児用シートについて、実際に製造を行い、後方への転倒の発生や、揺動の状態について確認を行った。
底部枠体３０について、直径７.７５ｍｍの中実な鋼材を使用し、後端部３２ｃ、３４ｃから湾曲部３２ｂ、３４ｂまでの長さａを５２０ｍｍとなるよう形成し、湾曲部３２ｂ、３４ｂにおいて、後部上方に４０゜傾斜するよう湾曲させて、背部枠体４０の背もたれ部材と、連結部材６０を介して連結した。
【００５４】
この時、図２に示したように、背部枠体４０の中央頂部から湾曲部３２ｂ、３４ｂまでの長さは６７０ｍｍであり、この背部枠体４０の上面から投影した場合の前後方向における長さｂは５１０ｍｍであり、ａ／ｂは１．０２であった。
また、底部枠体３０の前方端の幅ｃは５３０ｍｍであり、後方端の幅ｄは３１５ｍｍとされており、ｃ／ｄは１．６８であった。
【００５５】
このような乳幼児用シート１０に、実際に月齢が９ヶ月で、体重約１０ｋｇの乳幼児が座って、動いた際の影響を確認したが、大きく動いた場合でも、前方、側方、後方に対する転倒は見られず、安定した状態で座ることができていた。
また、揺れについても適切な揺れの速さや大きさとすることができ、安定した揺動が見られた。
【００５６】
この時、湾曲部３２ｂ、３４ｂが撓むことによって、揺れが発生するだけでなく、滑り止め部材３８によって床面から浮いた底部枠体３０の左右枠体部材３２、３４も同時に撓み、湾曲部３２ｂ、３４ｂを中心として全体で撓むことによって好ましい揺れが発生していることが確認された。
【図面の簡単な説明】
【図１】  図１は、本発明の乳幼児用シートの実施例の斜視図である。
【図２】  図２は、図１の乳幼児用シートのシートカバー部材と玩具部材を取り外した状態の斜視図である。
【図３】  図３は、図２の乳幼児用シートの分解斜視図である。
【図４】  図４は、図１の乳幼児用シートの使用状態を説明する斜視図である。
【図５】  図５は、図１の乳幼児用シートの使用状態を説明する斜視図である。
【図６】  図６は、図１の乳幼児用シートの使用状態を説明する斜視図である。
【図７】  図７は、図１の乳幼児用シートの使用状態を説明する斜視図である。
【図８】  図８は、図１の乳幼児用シートの使用状態を説明する斜視図である。
【図９】  図９は、図１の乳幼児用シートの使用状態を説明する斜視図である。
【図１０】  図１０は、従来の乳幼児用シートのシートカバーを取り外した状態を説明する斜視図である。
【図１１】  図１１は、従来の乳幼児用シートの使用状態を説明する斜視図である。
【符号の説明】
１０  乳幼児用シート
１２  フレーム枠体
１４  連結揺動軸点
２０  シートカバー部材
２２  クッション部材
３０  底部枠体
３２  左枠体部材
３２ａ  水平部分
３２ｂ  湾曲部
３２ｃ  後端部
３２ｄ  先端部
３４  右枠体部材
３４ａ  水平部分
３４ｂ  湾曲部
３６ａ  両端開孔部
３６  後方枠体部材
４０  背部枠体
４２ａ  前端部
４２  枠体部材
４６  後方湾曲部
４８  中央頂部
５０  足部枠体
５２ａ  後端部
５２  枠体部材
５６  水平部
６０  連結部材
６２  底部枠体挿着用開口部
６４  足部枠体挿着用開口部
６６  嵌合用凹部
６８  外周縁部
７０  玩具枠体
７２  玩具
７４  水平フレーム部
７６  枠体部材
８０  連結部材
８２  嵌合用突設部
８４  内周縁部
９０  シートベルト
１００  乳幼児シート
１０２  底部枠体
１０４  前端部
１０６  固定部材
１０８  足部枠体
１１０  背部枠体
１１２  前方枠体
１１４  シートカバー
【図１】
0004119118.tif 000002
【図２】
0004119118.tif 000003
【図３】
0004119118.tif 000004
【図４】
0004119118.tif 000005
【図５】
0004119118.tif 000006
【図６】
0004119118.tif 000007
【図７】
0004119118.tif 000008
【図８】
0004119118.tif 000009
【図９】
0004119118.tif 000010
【図１０】
0004119118.tif 000011
【図１１】
0004119118.tif 000012